(57)【要約】【課題】表示部に表示される文字列に関連した出力動作を行うことのできる携帯電子機器を提供すること。【解決手段】携帯電子機器は、筐体と、文字情報を生成する文字情報生成部４５１と、文字情報を表示する表示部２１と、動作部６０と、筐体の位置の変動を検出する変動検出部と、文字列と筐体の位置の変動パターンとを関連付けて記憶する記憶部と、記憶部に記憶された文字列が文字情報生成部４５１で生成された文字情報に含まれるか否かを判定する判定部４５２と、記憶部に記憶された文字列が文字情報生成部４５１で生成された文字情報に含まれると判定された場合に、変動検出部が文字列に関連付けられた変動パターンでの筐体の位置の変動を検出すると、動作部６０を第１態様で動作させる動作制御部４５３と、を備える。【選択図】図３
2010136329.tif 000002
【特許請求の範囲】
【請求項１】
筐体と、
文字情報を生成する文字情報生成部と、
所定の態様で動作する動作部と、
前記筐体の位置の変動を検出する変動検出部と、
所定の文字列と前記筐体の位置の変動パターンとを関連付けて記憶する記憶部と、
前記記憶部に記憶された文字列が前記文字情報生成部で生成された文字情報に含まれるか否かを判定する判定部と、
前記判定部により、前記記憶部に記憶された文字列が前記文字情報生成部で生成された文字情報に含まれると判定された場合に、前記変動検出部が前記文字列に関連付けられた前記変動パターンでの前記筐体の位置の第１の変動を検出すると、前記動作部を第１態様で動作させる動作制御部と、を備える携帯電子機器。
【請求項２】
表示部と、
前記筐体に配置される、所定の情報を入力可能な入力部と、を更に備え、
前記文字情報生成部は、前記入力部に入力された所定の情報に基づいて文字情報を生成し、
前記表示部は、前記文字情報生成部で生成された文字情報を表示する請求項１に記載の携帯電子機器。
【請求項３】
前記入力部は、所定の入力操作が可能な操作部を備え、
前記文字情報生成部は、前記操作部に入力された所定の情報に基づいて前記文字情報を生成する請求項２に記載の携帯電子機器。
【請求項４】
前記入力部は、音声の情報を認識する音声認識部を備え、
前記文字情報生成部は、前記音声認識部が認識した音声の情報に基づいて文字情報を生成する請求項２に記載の携帯電子機器。
【請求項５】
通信部と、
前記表示部を制御する表示制御部と、を更に備え、
前記表示制御部は、前記第１態様で動作させた後に、前記動作制御部により前記筐体の位置の第２の変動を検出すると、前記通信部を介して前記文字列に関連する関連情報を前記表示部に表示する請求項２に記載の携帯電子機器。
【請求項６】
前記関連情報は、優待情報を含む請求項５に記載の携帯電子機器。
【請求項７】
前記表示制御部及び前記動作制御部の少なくとも一方は、前記第１態様で動作させた後に、前記第２の変動を行うように促す情報を出力させる請求項５に記載の携帯電子機器。
【請求項８】
位置情報を取得する位置情報取得部を更に備え、
前記表示制御部は、前記位置情報取得部により取得した位置情報に基づいて、前記関連情報を前記表示部に表示する請求項５に記載の携帯電子機器。
【請求項９】
前記表示制御部は、前記関連情報が目的地に関する情報を含む場合に、前記位置情報取得部により取得した位置情報に基づく地図情報を表示部に表示する請求項８に記載の携帯電子機器。
【請求項１０】
電話発信の制御と、前記記憶部に記憶されるアドレス帳に電話番号を登録する制御とを行う制御部を更に備え、
前記制御部は、前記関連情報が電話番号に関する情報を含む場合に、前記表示部に表示された前記電話番号が選択されることにより、前記電話番号の発信又は前記電話番号の前記アドレス帳への登録を行う請求項５に記載の携帯電子機器。
【請求項１１】
画像情報を表示する表示部を更に備え、
前記文字情報生成部は、前記画像情報に基づいて文字情報を生成する請求項１に記載の携帯電子機器。
【請求項１２】
通信部を更に備え、
前記文字情報生成部は、前記通信部を介して取得した画像情報に基づいて文字情報を生成する請求項１１に記載の携帯電子機器。
【請求項１３】
撮像部を更に備え、
前記文字情報生成部は、前記撮像部から取得した画像情報に基づいて文字情報を生成する請求項１１に記載の携帯電子機器。
【請求項１４】
前記記憶部は、前記画像情報に基づいて生成された文字情報を新たに所定の文字列として記憶すると共に、所定の動作を前記所定の文字列に関連付けて記憶する請求項１１に記載の携帯電子機器。
【請求項１５】
前記表示部を制御する表示制御部を更に備え、
前記表示制御部は、前記第１態様で動作させた後に、前記動作制御部により前記筐体の位置の第２の変動を検出すると、前記通信部を介して前記文字列に関連する関連情報を前記表示部に表示する請求項１４に記載の携帯電子機器。
【請求項１６】
前記関連情報は、優待情報を含む請求項１５に記載の携帯電子機器。
【請求項１７】
前記表示制御部及び前記動作制御部の少なくとも一方は、前記第１態様で動作させた後に、前記第２の変動を行うように促す情報を出力させる請求項１５に記載の携帯電子機器。
【請求項１８】
位置情報を取得する位置情報取得部を更に備え、
前記表示制御部は、前記位置情報取得部により取得した位置情報に基づいて、前記関連情報を前記表示部に表示する請求項１５に記載の携帯電子機器。
【請求項１９】
前記表示制御部は、前記関連情報が目的地に関する情報を含む場合に、前記位置情報取得部により取得した位置情報に基づく地図情報を表示部に表示する請求項１８に記載の携帯電子機器。
【請求項２０】
電話発信の制御と、前記記憶部に記憶されるアドレス帳に電話番号を登録する制御とを行う制御部を更に備え、
前記制御部は、前記関連情報が電話番号に関する情報を含む場合に、前記表示部に表示された前記電話番号が選択されることにより、前記電話番号の発信又は前記電話番号の前記アドレス帳への登録を行う請求項１５に記載の携帯電子機器。
【請求項２１】
前記記憶部に記憶された文字列が前記文字情報に含まれると判定された場合に、前記文字列に関連付けられている変動パターンを報知する報知部を更に備える請求項１から請求項２０のいずれか一項に記載の携帯電子機器。
【請求項２２】
前記動作制御部は、前記変動検出部が前記文字列に関連付けられている変動パターンでの前記筐体の位置の前記第１の変動を検出しなかった場合には、前記動作部を前記第１態様とは異なる第２態様で動作させる請求項１から請求項２１のいずれか一項に記載の携帯電子機器。
【請求項２３】
前記動作部は、音声出力部、振動発生部、発光部又は発熱部のうちの少なくとも一以上を含む請求項１から請求項２２のいずれか一項に記載の携帯電子機器。
【請求項２４】
表示部と、
前記変動検出部が前記文字列に関連付けられている変動パターンでの前記筐体の位置の前記第１の変動を検出した場合には、前記表示部に第１画像を表示させる表示制御部と、を更に備える請求項１に記載の携帯電子機器。
【請求項２５】
前記表示制御部は、前記変動検出部が前記文字列に関連付けられている変動パターンでの前記筐体の位置の前記第１の変動を検出しなかった場合には、前記表示部に前記第１画像とは異なる第２画像を表示させる請求項２４に記載の携帯電子機器。
【発明の詳細な説明】
【技術分野】
【０００１】
本発明は、ユーザの操作に応じて入力された文字列を処理する機能を有する携帯電子機器に関する。
【背景技術】
【０００２】
従来、携帯電話機等の携帯電子機器では、使用の際のユーザの利便性を向上させるために様々な機能が提案されている。
例えば、特許文献１及び２には、ユーザが文字を入力する場合に、使用頻度の高い文字列を予測リストとして表示する文字列予測機能を有する携帯電話機が提案されている。この文字列予測機能によれば、ユーザによる文字入力に係る労力が軽減され、ユーザの利便性が向上する。
【先行技術文献】
【特許文献】
【０００３】
【特許文献１】特開２００２−１１７０２４号公報
【特許文献２】特開２００７−３２８８０４号公報
【発明の概要】
【発明が解決しようとする課題】
【０００４】
ところで、近年、携帯電子機器には、使用の際の利便性に加え、ユーザの趣向性を高める機能も求められている。
このような、ユーザの趣向性を高める機能としては、例えば、携帯電話機の表示部に所定の文字列が表示されると、この文字列に関連する音声がスピーカから出力されるといった機能が考えられる。
【０００５】
しかしながら、特許文献１及び２で提案された携帯電話機では、文字列を入力したり文字列予測機能を利用したりして表示部に表示された文字列に対応して、この文字列に関連した音声等を出力するといった出力動作を実行できなかった。
【０００６】
従って、本発明は、表示部に表示される文字列に関連した出力動作を行うことのできる携帯電子機器を提供することを目的とする。
【課題を解決するための手段】
【０００７】
本発明は、筐体と、文字情報を生成する文字情報生成部と、所定の態様で動作する動作部と、前記筐体の位置の変動を検出する変動検出部と、所定の文字列と前記筐体の位置の変動パターンとを関連付けて記憶する記憶部と、前記記憶部に記憶された文字列が前記文字情報生成部で生成された文字情報に含まれるか否かを判定する判定部と、前記判定部により、前記記憶部に記憶された文字列が前記文字情報生成部で生成された文字情報に含まれると判定された場合に、前記変動検出部が前記文字列に関連付けられた前記変動パターンでの前記筐体の位置の第１の変動を検出すると、前記動作部を第１態様で動作させる動作制御部と、を備える携帯電子機器に関する。
【０００８】
また、表示部と、前記筐体に配置される、所定の情報を入力可能な入力部と、を更に備え、前記文字情報生成部は、前記入力部に入力された所定の情報に基づいて文字情報を生成し、前記表示部は、前記文字情報生成部で生成された文字情報を表示することが好ましい。
【０００９】
また、前記入力部は、所定の入力操作が可能な操作部を備え、前記文字情報生成部は、前記操作部に入力された所定の情報に基づいて前記文字情報を生成することが好ましい。
【００１０】
また、前記入力部は、音声の情報を認識する音声認識部を備え、前記文字情報生成部は、前記音声認識部が認識した音声の情報に基づいて文字情報を生成することが好ましい。
【００１１】
また、前記携帯電子機器は、通信部と、前記表示部を制御する表示制御部と、を更に備え、前記表示制御部は、前記第１態様で動作させた後に、前記動作制御部により前記筐体の位置の第２の変動を検出すると、前記通信部を介して前記文字列に関連する関連情報を前記表示部に表示することが好ましい。
【００１２】
また、前記関連情報は、優待情報を含むことが好ましい。
【００１３】
また、前記表示制御部及び前記動作制御部の少なくとも一方は、前記第１態様で動作させた後に、前記第２の変動を行うように促す情報を出力させることが好ましい。
【００１４】
また、前記携帯電子機器は、位置情報を取得する位置情報取得部を更に備え、前記表示制御部は、前記位置情報取得部により取得した位置情報に基づいて、前記関連情報を前記表示部に表示することが好ましい。
【００１５】
また、前記表示制御部は、前記関連情報が目的地に関する情報を含む場合に、前記位置情報取得部により取得した位置情報に基づく地図情報を表示部に表示することが好ましい。
【００１６】
また、前記携帯電子機器は、電話発信の制御と、前記記憶部に記憶されるアドレス帳に電話番号を登録する制御とを行う制御部を更に備え、前記制御部は、前記関連情報が電話番号に関する情報を含む場合に、前記表示部に表示された前記電話番号が選択されることにより、前記電話番号の発信又は前記電話番号の前記アドレス帳への登録を行うことが好ましい。
【００１７】
また、前記携帯電子機器は、画像情報を表示する表示部を更に備え、前記文字情報生成部は、前記画像情報に基づいて文字情報を生成することが好ましい。
【００１８】
また、前記携帯電子機器は、通信部を更に備え、前記文字情報生成部は、前記通信部を介して取得した画像情報に基づいて文字情報を生成することが好ましい。
【００１９】
また、前記携帯電子機器は、撮像部を更に備え、前記文字情報生成部は、前記撮像部から取得した画像情報に基づいて文字情報を生成することが好ましい。
【００２０】
また、前記記憶部は、前記画像情報に基づいて生成された文字情報を新たに所定の文字列として記憶すると共に、所定の動作を前記所定の文字列に関連付けて記憶することが好ましい。
【００２１】
また、前記携帯電子機器は、前記表示部を制御する表示制御部を更に備え、前記表示制御部は、前記第１態様で動作させた後に、前記動作制御部により前記筐体の位置の第２の変動を検出すると、前記通信部を介して前記文字列に関連する関連情報を前記表示部に表示することが好ましい。
【００２２】
また、前記関連情報は、優待情報を含むことが好ましい。
【００２３】
また、前記表示制御部及び前記動作制御部の少なくとも一方は、前記第１態様で動作させた後に、前記第２の変動を行うように促す情報を出力させることが好ましい。
【００２４】
また、前記携帯電子機器は、位置情報を取得する位置情報取得部を更に備え、前記表示制御部は、前記位置情報取得部により取得した位置情報に基づいて、前記関連情報を前記表示部に表示することが好ましい。
【００２５】
また、前記表示制御部は、前記関連情報が目的地に関する情報を含む場合に、前記位置情報取得部により取得した位置情報に基づく地図情報を表示部に表示することが好ましい。
【００２６】
また、前記携帯電子機器は、電話発信の制御と、前記記憶部に記憶されるアドレス帳に電話番号を登録する制御とを行う制御部を更に備え、前記制御部は、前記関連情報が電話番号に関する情報を含む場合に、前記表示部に表示された前記電話番号が選択されることにより、前記電話番号の発信又は前記電話番号の前記アドレス帳への登録を行うことが好ましい。
【００２７】
また、前記携帯電子機器は、前記記憶部に記憶された文字列が前記文字情報に含まれると判定された場合に、前記文字列に関連付けられている変動パターンを報知する報知部を更に備えることが好ましい。
【００２８】
また、前記動作制御部は、前記変動検出部が前記文字列に関連付けられている変動パターンでの前記筐体の位置の前記第１の変動を検出しなかった場合には、前記動作部を前記第１態様とは異なる第２態様で動作させることが好ましい。
【００２９】
また、前記動作部は、音声出力部、振動発生部、発光部又は発熱部のうちの少なくとも一以上を含むことが好ましい。
【００３０】
また、前記携帯電子機器は、表示部と、前記変動検出部が前記文字列に関連付けられている変動パターンでの前記筐体の位置の前記第１の変動を検出した場合には、前記表示部に第１画像を表示させる表示制御部と、を更に備えることが好ましい。
【００３１】
また、前記表示制御部は、前記変動検出部が前記文字列に関連付けられている変動パターンでの前記筐体の位置の前記第１の変動を検出しなかった場合には、前記表示部に前記第１画像とは異なる第２画像を表示させることが好ましい。
【発明の効果】
【００３２】
本発明の携帯電子機器によれば、表示部に所定の文字列が表示された場合に、この表示された文字列に関連付けられた変動パターンで筐体の位置を変動させることにより、表示部に表示される文字列に関連した出力動作を行うことができる。
【図面の簡単な説明】
【００３３】
【図１】本発明の第１の実施形態に係る携帯電話機の外観斜視図である。
【図２】携帯電話機の機能を示すブロック図である。
【図３】携帯電話機の機能を発揮するための構成を示す機能ブロック図である。
【図４】メモリに格納されているテーブルの一例を示す図である。
【図５】ユーザが、文字入力アプリケーションを起動した状態で、操作部により「コーラ」と入力したときの携帯電話機の動作を示す図である。
【図６】ユーザが、通信部により受信したＷｅｂ情報を閲覧したときの携帯電話機の動作を示す図である。
【図７】ユーザが、文字入力アプリケーションを起動した状態で、操作部により「はなび」と入力したときの携帯電話機の動作を示す図である。
【図８】メモリに図４に示すテーブルが記憶されている場合に、ユーザが、文字入力アプリケーションを起動した状態で、操作部により「コーラ」と入力したときの携帯電話機の動作を示す図である。
【図９】携帯電話機の動作を示すフローチャートである。
【図１０】ユーザが、文字入力アプリケーションを起動した状態で、操作部により「カイロ」と入力したときの携帯電話機の動作を示す図である。
【図１１】携帯電話機が機能を発揮するための構成を示す機能ブロック図である。
【図１２】操作部により「コーラ」を入力したときの携帯電話機の動作を示す図である。
【図１３】操作部により「焼肉」を入力したときの携帯電話機の動作を示す図である。
【図１４】第２の実施形態の携帯電話機１の動作を示すフローチャートである。
【図１５】携帯電話機が機能を発揮するための構成を示す機能ブロック図である。
【図１６】受信メールの本文中に含まれる名詞を検索する携帯電話機の動作を示す図である。
【図１７】第３の実施形態の携帯電話機の動作を示す第１のフローチャートである。
【図１８】図１７に示す第１のフローチャートに続く第２のフローチャートである。
【図１９】テーブルを生成するときの携帯電話機の動作を示すフローチャートである。
【発明を実施するための形態】
【００３４】
＜第１の実施形態＞
以下、本発明を実施するための好ましい一実施形態について、図面を参照しながら説明する。まず、本発明の携帯電子機器の第１の実施形態としての携帯電話機１の基本構造について、図１を参照しながら説明する。
図１は、本発明の第１の実施形態に係る携帯電話機１の外観斜視図である。
【００３５】
携帯電話機１は、筐体としての操作部側筐体２と、表示部側筐体３と、操作部側筐体２と表示部側筐体３とを連結するヒンジ機構４と、を備える。
操作部側筐体２は、前面１０に、操作部１１及び音声認識部としてのマイク１２を備えて構成される。操作部側筐体２の前面１０は、携帯電話機１を折り畳んだ状態で表示部側筐体３と向かい合う面である。
操作部１１は、各種設定機能や辞書機能やメール機能等の各種機能を作動させるための機能設定操作キー１３と、数字や文字を入力するための入力操作キー１４と、各種操作における決定やスクロール等を行う決定操作キー１５と、から構成されている。
マイク１２は、携帯電話機１の使用者が通話時に発した音声を入力するために用いられる。
また、操作部側筐体２の後面（図示せず）には、撮像部としてのカメラ４８（図２参照）が設けられている。カメラ４８は、外部から画像情報を取得するために用いられる。
【００３６】
表示部側筐体３は、前面２０に、表示部２１とレシーバ２２と、を備えて構成される。表示部側筐体３の前面２０は、携帯電話機１を折り畳んだ状態で操作部側筐体２と向かい合う面である。
表示部２１は、通話の相手側の電話番号やメールアドレス、及びメールの内容等の各種情報（文字情報や画像情報）を表示する。レシーバ２２は、通話の相手側の音声を出力する。
また、表示部側筐体３の側面には、音声出力部としてのスピーカ２４（図２参照）が設けられている。スピーカ２４は、携帯電話機１への着信を知らせる音声等を出力する。
【００３７】
ヒンジ機構４は、操作部側筐体２と表示部側筐体３とが相対的に動くようにこれらを連結している。携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００３８】
次に、図２を参照しながら、携帯電話機１の機能について説明する。
図２は、携帯電話機１の機能を示すブロック図である。携帯電話機１は、操作部１１と、マイク１２と、通信部４１と、画像処理部４２と、音声処理部４３と、記憶部としてのメモリ４４と、ＣＰＵ４５と、変動検出部としての加速度センサ４６と、振動発生部としてのバイブレータ４７と、カメラ４８と、を操作部側筐体２に備え、表示部２１と、レシーバ２２と、スピーカ２４と、ドライバＩＣ２３と、発光部としてのＬＥＤ２５と、を表示部側筐体３に備えている。
【００３９】
通信部４１は、メインアンテナ４１１とＲＦ回路部４１２とを備えて構成され、所定の通信先と通信を行う。通信部４１が通信を行う通信先としては、携帯電話機１と電話やメールの送受信を行う外部の端末装置や、携帯電話機１がインターネットの接続を行う外部のｗｅｂサーバ等の外部装置が挙げられる。
【００４０】
メインアンテナ４１１は、所定の使用周波数帯（例えば、８００ＭＨｚ）で外部装置と通信を行う。
ＲＦ回路部４１２は、メインアンテナ４１１によって受信した信号を復調処理し、処理後の信号をＣＰＵ４５に供給する。また、ＲＦ回路部４１２は、ＣＰＵ４５から供給された信号を変調処理し、メインアンテナ４１１を介して外部装置（基地局）に送信する。
【００４１】
画像処理部４２は、ＣＰＵ４５の制御に従って、所定の画像処理を行い、処理後の画像データをドライバＩＣ２３に出力する。ドライバＩＣ２３は、画像処理部４２から供給された画像データをフレームメモリ（図示せず）に蓄え、所定のタイミングで表示部２１に出力する。
【００４２】
音声処理部４３は、ＣＰＵ４５の制御に従って、ＲＦ回路部４１２から供給された信号に対して所定の音声処理を行い、処理後の信号をレシーバ２２やスピーカ２４に出力する。レシーバ２２及びスピーカ２４は、音声処理部４３から供給された信号を外部に出力する。
【００４３】
また、音声処理部４３は、ＣＰＵ４５の制御に従って、マイク１２から入力された信号を処理し、処理後の信号をＲＦ回路部４１２に出力する。ＲＦ回路部４１２は、音声処理部４３から供給された信号に所定の処理を行い、処理後の信号をメインアンテナ４１１に出力する。
【００４４】
メモリ４４は、例えば、ワーキングメモリを含み、ＣＰＵ４５による演算処理に利用される。また、メモリ４４には、携帯電話機１上で動作する様々なアプリケーションが利用するデータやテーブル等が格納されている。
尚、メモリ４４は、着脱可能な外部メモリであってもよい。
【００４５】
ＣＰＵ４５は、携帯電話機１の全体を制御しており、通信部４１、画像処理部４２、表示部２１、音声処理部４３、バイブレータ４７に対して所定の制御を行う。ＣＰＵ４５の具体的な構成については後述する。
【００４６】
加速度センサ４６は、操作部側筐体２（携帯電話機１）の位置の変動を検出する。詳細には、加速度センサ４６は、操作部側筐体２の位置の変動を加速度値として検知し、ＣＰＵ４５に提供する。ＣＰＵ４５（後述の判定部４５２）は、この加速度値に基づいて、携帯電話機１の位置の変動パターン（動作の方向や回数等）を判断する。
【００４７】
バイブレータ４７は、操作部側筐体２の内部に取り付けられ、ＣＰＵ４５（後述の動作制御部４５３）の制御に従って振動を発生させる。このバイブレータ４７が発生させる振動が操作部側筐体２に伝達されることにより、携帯電話機１は振動する。
【００４８】
このように構成される携帯電話機１は、入力部５０（例えば、操作部１１、通信部４１、又はカメラ４８）から入力された情報から生成された文字情報が所定の文字列を含んでいる場合に、ユーザがこの所定の文字列に関連付けられた所定のパターンで携帯電話機１の位置を変動させると、動作部６０（例えば、バイブレータ４７、スピーカ２４、又はＬＥＤ２５）が第１態様で動作する機能（例えば、所定の態様で音声の出力、振動、発光又は発熱を行う機能）を有している。
【００４９】
以下に、携帯電話機１に係る当該機能を発揮するための構成と動作について詳述する。
先ず、本実施形態に係る携帯電話機１の機能を発揮するための構成について、図３及び図４を参照しながら説明する。図３は、携帯電話機１が上記機能を発揮するための構成を示す機能ブロック図である。図４は、メモリ４４に格納されているテーブルの一例を示す図である。
【００５０】
図３に示すように、携帯電話機１は、メモリ４４と、入力部５０と、動作部６０と、ＣＰＵ４５と、加速度センサ４６と、報知部７０と、を備える。
【００５１】
図４に示すように、メモリ４４には、複数の文字列と、これら複数の文字列それぞれに対応した操作部側筐体２の位置の変動パターン（動作条件）と、が関連付けられて記憶されている。
また、このメモリ４４には、記憶された所定の文字列に関連付けられて設定されたパターンで携帯電話機１の位置の変動が検出された場合に表示部２１に表示される画像の情報及びスピーカ２４から出力される音声の情報（成功アクション）、並びに所定の文字列に関連付けられて設定されたパターンで携帯電話機１の位置の変動が検出されなかった場合に表示部２１に表示される画像の情報及びスピーカ２４から出力される音声の情報（失敗アクション）が記憶されている。
【００５２】
入力部５０は、所定の情報を入力可能な機能を有している。本実施形態では、所定の入力操作が可能な操作部１１、音声の情報を入力可能なマイク１２、画像の情報を入力可能なカメラ４８、及びＷｅｂ情報を入力可能な通信部４１が入力部５０として機能する。
【００５３】
動作部６０は、所定の態様で動作する機能を有している。本実施形態では、スピーカ２４、ＬＥＤ２５、及びバイブレータ４７が動作部６０として機能している。
【００５４】
ＣＰＵ４５は、文字情報生成部４５１と、判定部４５２と、動作制御部４５３と、表示制御部４５４と、を備える。
【００５５】
文字情報生成部４５１は、入力部５０に入力された所定の情報に基づいて文字情報を生成する。
具体的には、文字情報生成部４５１は、マイク１２により入力された音声の情報、カメラ４８から取得された画像の情報、及び通信部４１を介して取得されたＷｅｂ情報（音声の情報及び画像の情報）に基づいて文字情報を生成する。
また、文字情報生成部４５１は、入力部５０により入力された情報が文字情報であった場合には、その文字情報を取得する。
【００５６】
判定部４５２は、文字情報生成部４５１で生成された文字情報に、メモリ４４に記憶された文字列が含まれるか否かを判定する。
また、判定部４５２は、文字情報生成部４５１で生成された文字情報に、メモリ４４に記憶された所定の文字列が含まれると判定した場合、加速度センサ４６が検出した操作部側筐体２の位置の変動パターンがメモリ４４に記憶された所定の文字列に関連付けられた変動パターンと一致するか否かを判定する。
【００５７】
動作制御部４５３は、動作部６０の動作を制御する。
具体的には、動作制御部４５３は、判定部４５２により、文字情報生成部４５１で生成された文字情報に、メモリ４４に記憶された所定の文字列が含まれると判定された場合に、加速度センサ４６がこの所定の文字列に関連付けられた変動パターンでの操作部側筐体２の位置の変動を検出すると、動作部６０を所定の態様である第１態様で動作させる。
つまり、動作制御部４５３は、判定部４５２により、加速度センサ４６が検出した操作部側筐体２の位置の変動パターンがメモリ４４に記憶された所定の文字列に関連付けられた変動パターンと一致すると判定された場合に、動作部６０を第１態様で動作させる。
【００５８】
また、動作制御部４５３は、判定部４５２により、文字情報生成部４５１で生成された文字情報に、メモリ４４に記憶された所定の文字列が含まれると判定された場合に、加速度センサ４６がこの所定の文字列に関連付けられている変動パターンでの操作部側筐体２の位置の変動を検出しなかったときには、動作部６０を第１態様とは異なる第２態様で動作させる。
つまり、動作制御部４５３は、判定部４５２により、加速度センサ４６が検出した操作部側筐体２の位置の変動パターンがメモリ４４に記憶された所定の文字列に関連付けられた変動パターンと一致しないと判定された場合、又は加速度センサ４６が操作部側筐体２の位置の変動を検出しなかった場合に、動作部６０を第２態様で動作させる。
【００５９】
表示制御部４５４は、表示部２１の表示内容を制御する。
具体的には、表示制御部４５４は、文字情報生成部４５１で生成された文字情報に、メモリ４４に記憶された所定の文字列が含まれると判定された場合に、加速度センサ４６がこの所定の文字列に関連付けられている変動パターンでの操作部側筐体２の位置の変動を検出すると、表示部２１に第１画像（例えば、成功イメージ）を表示させる。
【００６０】
また、表示制御部４５４は、文字情報生成部４５１で生成された文字情報に、メモリ４４に記憶された所定の文字列が含まれると判定された場合に、加速度センサ４６がこの所定の文字列に関連付けられている変動パターンでの操作部側筐体２の位置の変動を検出しなかったときには、表示部２１に第２画像（例えば、失敗イメージ）を表示させる。
【００６１】
更に、表示制御部４５４は、文字情報生成部４５１で生成された文字情報に、メモリ４４に記憶された所定の文字列が含まれると判定された場合には、表示部２１に、この所定の文字列に関連付けられている変動パターンを表示させる。
つまり、この場合、表示部２１は、所定の文字列に対応した操作部側筐体２の位置の変動パターンをユーザに報知する報知部７０として機能する。
【００６２】
ここで、携帯電話機１の動作の具体例について説明する。
先ず、メモリ４４に、文字列「コーラ」と、携帯電話機１を所定時間内に所定回数振る動作と、スピーカ２４から音声「ぷしゅっ」を出力する動作と、が関連付けられたテーブルが記憶されている場合に、ユーザが、文字入力アプリケーションを起動した状態で、操作部１１により「コーラ」と入力したときの携帯電話機１の動作について、図５を参照しながら説明する。
図５は、ユーザが、文字入力アプリケーションを起動した状態で、操作部１１により「コーラ」と入力したときの携帯電話機１の動作を示す図である。
【００６３】
まず、図５（ａ）に示すように、文字入力アプリケーションにおいて、操作部１１により文字情報「コーラ」がキー入力されると、判定部４５２は、入力された文字情報「コーラ」がメモリ４４に記憶された文字列と一致すると判定する。
【００６４】
次に、ユーザが携帯電話機１を所定時間内に所定回数振ると、加速度センサ４６により、操作部側筐体２の位置の変動が検知される。すると、判定部４５２は、加速度センサ４６によって検知された操作部側筐体２の位置の変動が、文字列「コーラ」に関係付けられてメモリ４４に記憶された操作部側筐体２の位置の変動パターンと一致するか否かを判定する。
【００６５】
判定部４５２により、操作部側筐体２の位置の変動パターンがメモリ４４に記憶された位置の変動パターンに一致すると判定された場合には、図５（ｂ）に示すように、動作制御部４５３は、第１態様での動作として、スピーカ２４から文字情報「コーラ」に関連する音声「ぷしゅっ」を出力させる。
【００６６】
次に、メモリ４４に、文字列「コーラ」と、携帯電話機１を所定時間内に所定回数振る動作と、スピーカ２４から音声「ぷしゅっ」を出力する動作と、が関連付けられたテーブルが記憶されている場合に、ユーザが、通信部４１により受信したＷｅｂ情報を閲覧したときの携帯電話機１の動作について、図６を参照しながら説明する。
図６は、ユーザが、通信部４１により受信したＷｅｂ情報を閲覧したときの携帯電話機１の動作を示す図である。
【００６７】
まず、ユーザが所定の操作を行うことにより、通信部４１により所定のＷｅｂ情報が受信され、この受信されたＷｅｂ情報が表示部２１に表示される（図６（ａ）参照）。この状態で、ユーザが所定の操作により「コーラ」が含まれる情報（画像の情報又は文字情報）を選択すると（図６（ｂ）参照）、文字情報生成部４５１は、選択された情報に基づいて文字情報「コーラ」を生成する。次に、判定部４５２は、文字情報生成部４５１により生成された文字情報「コーラ」がメモリ４４に記憶された文字列「コーラ」と一致すると判定する。
【００６８】
次に、ユーザが携帯電話機１を所定時間内に所定回数振ると、加速度センサ４６により、操作部側筐体２の位置の変動が検知される。すると、判定部４５２は、加速度センサ４６によって検知された操作部側筐体２の位置の変動が、文字列「コーラ」に関係付けられてメモリ４４に記憶された操作部側筐体２の位置の変動パターンと一致するか否かを判定する。
判定部４５２により、操作部側筐体２の位置の変動パターンがメモリ４４に記憶された位置の変動パターンに一致すると判定した場合には、図６（ｃ）に示すように、動作制御部４５３は、第１態様での動作として、スピーカ２４から文字情報「コーラ」に関連する音声「ぷしゅっ」を出力させる。
【００６９】
尚、文字情報生成部４５１は、表示部２１に表示されたＷｅｂ情報のうちの選択された情報のみについて文字情報を生成するのではなく、表示部２１に表示されたＷｅｂ情報全体について文字情報を生成してもよく、判定部４５２は、表示部２１に表示されたＷｅｂ情報全体から生成された文字情報について、メモリ４４に記憶された文字列と一致するか否かを判定してもよい。
【００７０】
次に、メモリ４４に、文字列「はなび」と、携帯電話機１を所定時間内に所定回数振る動作と、ＬＥＤ２５を発光させる動作と、が関連付けられたテーブルが記憶されている場合に、ユーザが、文字入力アプリケーションを起動した状態で、操作部１１により「はなび」と入力したときの携帯電話機１の動作について、図７を参照しながら説明する。
図７は、ユーザが、文字入力アプリケーションを起動した状態で、操作部１１により「はなび」と入力したときの携帯電話機１の動作を示す図である。
【００７１】
まず、図７（ａ）に示すように、文字入力アプリケーションにおいて、操作部１１により文字情報「はなび」がキー入力されると、判定部４５２は、入力された文字情報「はなび」がメモリ４４に記憶された文字列と一致すると判定する。
【００７２】
次に、ユーザが携帯電話機１を所定時間内に所定回数振ると、加速度センサ４６により、操作部側筐体２の位置の変動が検知される。すると、判定部４５２は、加速度センサ４６によって検知された操作部側筐体２の位置の変動が、文字列「はなび」に関係付けられてメモリ４４に記憶された操作部側筐体２の位置の変動パターンと一致するか否かを判定する。
【００７３】
判定部４５２により、操作部側筐体２の位置の変動パターンがメモリ４４に記憶された位置の変動パターンに一致すると判定した場合には、図７（ｂ）に示すように、動作制御部４５３は、文字情報「はなび」に関連する第１態様での動作として、ＬＥＤ２５を発光させる。
【００７４】
次に、メモリ４４に図４で示すテーブルが記憶されている場合に、ユーザが、文字入力アプリケーションを起動した状態で、操作部１１により「コーラ」と入力した場合について、図８を参照しながら説明する。
【００７５】
図８は、メモリ４４に図４に示すテーブルが記憶されている場合に、ユーザが、文字入力アプリケーションを起動した状態で、操作部１１により「コーラ」と入力したときの携帯電話機１の動作を示す図である。
まず、図８（ａ）に示すように、文字入力アプリケーションにおいて、操作部１１により文字情報「コーラ」がキー入力されると、判定部４５２は、入力された文字情報「コーラ」がメモリ４４に記憶された文字列と一致すると判定する。
【００７６】
次に、ユーザが携帯電話機１を振ると、加速度センサ４６により、操作部側筐体２の位置の変動が検知される。すると、判定部４５２は、加速度センサ４６によって検知された操作部側筐体２の位置の変動が、文字列「コーラ」に関係付けられてメモリ４４に記憶された操作部側筐体２の位置の変動パターン「５秒間に３回」と一致するか否かを判定する。
【００７７】
判定部４５２により、携帯電話機１の位置の変動パターンがメモリ４４に記憶された位置の変動パターン「５秒間に３回」に一致すると判定された場合には、図８（ｂ）に示すように、動作制御部４５３は、第１態様での動作として、スピーカ２４から音声「しゅぽん！おめでとう〜」を出力させる。また、この場合、表示制御部４５４は、第１画像である成功イメージを表示部２１に表示させる。
【００７８】
一方、判定部４５２により、携帯電話機１の位置の変動パターンがメモリ４４に記憶された位置の変動パターン「５秒間に３回」に一致しないと判定された場合には、図８（ｃ）に示すように、動作制御部４５３は、第２態様での動作として、スピーカ２４から文字列「コーラ」に関連する音声「ぶしゅ〜！あ〜ぁ」を出力させる。また、この場合、表示制御部４５４は、第２画像である失敗イメージを表示部２１に表示させる。
【００７９】
次に、本実施形態の携帯電話機１の動作について、図９を参照しながら説明する。
図９は、第１の実施形態の携帯電話機１の動作を示すフローチャートである。
【００８０】
先ず、ステップＳ１において、携帯電話機１では、ユーザの所定の操作により入力部５０に所定の情報が入力されてステップＳ２に進む。
【００８１】
ステップＳ２において、文字情報生成部４５１は、入力部５０に入力された情報に基づいて、文字情報を生成してステップＳ３に進む。
【００８２】
ステップＳ３において、判定部４５２は、文字情報生成部４５１で生成された文字情報に、メモリ４４に記憶された文字列が含まれるか否かを判定する。
判定部４５２により、文字情報生成部４５１で生成された文字情報に、メモリ４４に記憶された文字列が含まれると判定された場合は、ステップＳ４に進む。文字情報生成部４５１で生成された文字情報に、メモリ４４に記憶された文字列が含まれないと判定された場合は、ステップＳ１に戻る。
【００８３】
ステップＳ４において、表示制御部４５４は、文字情報生成部４５１で生成された文字情報に関連付けられている変動パターンを報知部７０としての表示部２１に表示させてステップＳ５に進む。
【００８４】
ステップＳ５において、判定部４５２は、加速度センサ４６が検出した操作部側筐体２の位置の変動パターンがメモリ４４に記憶された所定の文字列に関連付けられた変動パターンと一致するか否かを判定する。判定部４５２により、加速度センサ４６が検出した操作部側筐体２の位置の変動パターンがメモリ４４に記憶された所定の文字列に関連付けられた変動パターンと一致すると判定された場合は、ステップＳ６に進む。判定部４５２により、加速度センサ４６が検出した操作部側筐体２の位置の変動パターンがメモリ４４に記憶された所定の文字列に関連付けられた変動パターンと一致しないと判定された場合は、ステップＳ７に進む。
【００８５】
ステップＳ６において、動作制御部４５３は、動作部６０を第１態様で動作させる。
【００８６】
ステップＳ７において、動作制御部４５３は、動作部６０を第２態様で動作させる。
【００８７】
本実施形態の携帯電話機１によれば、以下のような効果を奏する。
表示部２１に所定の文字列が表示された場合に、ユーザがこの表示された文字列に関連付けられた変動パターンで操作部側筐体２の位置を変動させることで、表示部２１に表示される文字列に関連した第１態様での出力動作を動作部６０に行わせた。これにより、ユーザは、表示部２１に表示された情報に基づいて携帯電話機１を振ること等により、この表示された情報に関連する第１態様での動作（成功アクション）を体感できる。よって、携帯電話機１の趣向性を向上できる。
【００８８】
また、メモリ４４に記憶された文字列が文字情報生成部４５１で生成された文字情報に含まれると判定された場合に、この文字列に関連付けられている変動パターンを報知する報知部７０を設けた。よって、ユーザは、表示部２１に表示された情報に関連付けられている操作部側筐体２の位置の変動パターンを認識できるので、携帯電話機１の趣向性をより向上できる。
【００８９】
また、表示部２１に所定の文字列が表示された場合に、ユーザがこの表示された文字列に関連付けられた変動パターンで操作部側筐体２の位置を変動させられなかったときに、動作部６０に、第１態様とは異なる第２態様での出力動作を行わせた。これにより、ユーザは、表示部２１に表示された情報に関連付けられた変動パターンで携帯電話機１を振ることができなかった場合でも、第１態様とは異なる第２態様（失敗アクション）での動作を体感できる。
【００９０】
また、操作部１１、マイク１２、カメラ４８及び通信部４１を入力部５０として機能させた。これにより、操作部１１により入力された情報、マイク１２により入力された音声の情報、及びカメラ４８により入力された画像の情報、及び通信部４１により入力されたＷｅｂの情報といった多様な情報に基づいて文字情報を生成でき、動作部６０を動作させられる。よって、ユーザの趣向性をより向上できる。
【００９１】
また、スピーカ２４、バイブレータ４７、及びＬＥＤ２５を動作部６０として機能させた。これにより、第１態様の動作として、スピーカ２４による音声の出力、バイブレータ４７による振動の出力及びＬＥＤ２５による発光等を行える。よって、入力部５０に入力された情報と、動作部６０との間で、今までにない連携動作を行える。
【００９２】
尚、本発明は前記実施形態に限定されるものではなく、種々の変形、改良等が可能である。
例えば、本実施形態では、バイブレータ４７、スピーカ２４及びＬＥＤ２５を動作部６０として機能させたが、これに限らない。即ち、図１０に示すように、ＣＰＵ４５を動作部としての発熱部として機能させてもよい。
【００９３】
図１０は、ユーザが、文字入力アプリケーションを起動した状態で、操作部１１により「カイロ」と入力したときの携帯電話機１の動作を示す図である。
この場合、まず、文字入力アプリケーションにおいて、操作部１１により文字情報「カイロ」がキー入力された後（図１０（ａ）参照）、ユーザが携帯電話機１を所定時間内に所定回数振ると、動作制御部４５３は、文字列「カイロ」に関連する第１態様での動作として、ＣＰＵにて高負荷処理を行い、熱を発生させる（図１０（ｂ）参照）。これにより、ＣＰＵは発熱部として機能し、携帯電話機１を発熱させられる。
【００９４】
また、本実施形態では、文字情報生成部４５１は、入力部５０により入力された情報に基づいて文字情報を生成していたが、これに限らない。即ち、文字情報生成部は、メモリ４４に記憶された音声の情報や画像の情報に基づいて文字情報を生成してもよい。
【００９５】
＜第２の実施形態＞
次に、第２の実施形態に係る携帯電話機１について説明する。
本実施形態に係る携帯電話機１の基本構成は、第１の実施形態に係る携帯電話機１と同じであるので、その説明を省略する。
【００９６】
本実施形態に係る携帯電話機１は、動作部が第１の態様で動作した後、携帯電話機１の位置をさらに変動させると、表示制御部４５４が文字列に関連する関連情報を表示部２１に表示させる機能を有している。
【００９７】
以下に、携帯電話機１に係る当該機能を発揮するための構成と動作について詳述する。
図１１は、携帯電話機１が当該機能を発揮するための構成を示す機能ブロック図である。
携帯電話機１は、図２及び図３を用いて説明した構成に加えて、位置情報取得部４９を備える。位置情報取得部４９は、携帯電話機１の現在位置の情報を取得し、ＣＰＵ４５に提供する。位置情報取得部４９は、例えば全地球測位システム（ＧＰＳ）からなり、上空にある複数の人工衛星から送信される信号に基づいて携帯電話機１の現在位置を取得する。
ＣＰＵ４５は、位置情報に基づいて文字列に関連する関連情報を表示部２１に表示する。
【００９８】
このような構成の携帯電話機１における動作の具体例について説明する。図１２は、操作部１１により「コーラ」を入力したときの携帯電話機１の動作を示す図である。
図５を用いて説明したように、メモリ４４には、文字列「コーラ」と、携帯電話機１を所定時間内に所定回数振る動作と、スピーカから音声「ぷしゅっ」を出力する動作と、が関連付けられたテーブルが記憶されている。ユーザが、文字入力アプリケーションを起動して、操作部１１により「コーラ」と入力し（図１２（ａ）参照）、携帯電話機１を所定時間内に所定回数振った場合、動作制御部４５３は、第１態様の動作として、スピーカから文字情報「コーラ」に関連する音声「ぷしゅっ」を出力させる（図１２（ｂ）参照）。また、表示制御部４５４は、第１画像であるコーラのイメージと、第２の変動を行うように促す情報「飲みたいならもっと振って！！」とを表示部２１に表示させる（図１２（ｂ）参照）。尚、第２の変動を行うように促す情報は、「飲みたいならもっと振って！！」に限られない。
【００９９】
次に、ユーザが携帯電話機１を更に振ると、加速度センサ４６により操作部側筐体２の位置の変動が検知される。すると、ＣＰＵ４５は、位置情報取得部４９から携帯電話機１の位置情報を取得すると共に、通信部４１を介して文字列「コーラ」に関連する情報（コーラの販売所（自動販売機、コンビニエンスストア及びスーパーマーケット等）及び地図情報）を取得する。表示制御部４５４は、携帯電話機１（自身）の現在位置とコーラの販売所とを載せた地図情報を表示部２１に表示させる（図１２（ｃ）参照）。
【０１００】
次に、通信部４１を介して取得される文字列に関連する関連情報に電話番号が含まれている場合の動作について、図１３を参照しながら説明する。
図１３は、操作部１１により「焼肉」を入力したときの携帯電話機１の動作を示す図である。
【０１０１】
まず、上述した「コーラ」の場合と同様に、メモリ４４には、文字列「焼肉」と、携帯電話機１を所定時間内に所定回数振る動作と、スピーカから音声「ジュ〜ジュ〜」を出力する動作と、が関連付けられたテーブルが記憶されている。ユーザが、文字入力アプリケーションを起動して、操作部１１により「焼肉」と入力し（図１３（ａ）参照）、携帯電話機１を所定時間内に所定回数振った場合、動作制御部４５３は、第１態様の動作として、スピーカから文字情報「焼肉」に関連する音声「ジュ〜ジュ〜」を出力させる（図１３（ｂ）参照）。また、表示制御部４５４は、第１画像である焼肉のイメージと、第２の変動を行うように促す情報「食べたいならもっと振って！！」とを表示部２１に表示させる（図１３（ｂ）参照）。尚、第２の変動を行うように促す情報は、「食べたいならもっと振って！！」に限られない。
【０１０２】
次に、ユーザが携帯電話機１を更に振ると、加速度センサ４６により操作部側筐体２の位置の変動が検知される。すると、ＣＰＵ４５は、位置情報取得部４９から携帯電話機１の位置情報を取得すると共に、通信部４１を介して文字列「焼肉」に関連する情報（焼肉店の名称、電話番号及び位置情報、並びに地図情報）を取得する。表示制御部４５４は、携帯電話機１（自身）の現在位置と焼肉店の位置情報とを載せた地図情報を表示部２１に表示させると共に、焼肉店の名称及び電話番号を表示部２１に表示させる（図１３（ｃ）参照）。
【０１０３】
ユーザが表示部２１に表示されている複数の焼肉店のうちのいずれか１つを選択した場合、ＣＰＵ４５は、選択された焼肉店の電話番号へ発信、又は選択された焼肉店の名称と電話番号とをアドレス帳に登録する。尚、アドレス帳は、メモリ４４に記憶される。
【０１０４】
次に、本実施形態の携帯電話機１の動作について、図１４を参照しながら説明する。
図１４は、第２の実施形態の携帯電話機１の動作を示すフローチャートである。
尚、図１４を用いて説明する動作に先立って、ステップＳ１からステップＳ７が行われている。
【０１０５】
先ず、ステップＳ１１において、ＣＰＵ４５は、加速度センサ４６により操作部側筐体２の位置の第２の変動（所定の変動）が検知されたか否かを判定する。ＣＰＵ４５により、第２の変動が検知されたと判定された場合は、ステップＳ１２に進む。判定部４５２により、第２の変動が検知されていないと判定された場合は、動作を終了する。
【０１０６】
ステップＳ１２において、ＣＰＵ４５は、位置情報取得部４９から携帯電話機１の位置情報を取得する。
【０１０７】
ステップＳ１３において、ＣＰＵ４５は、通信部４１を介して文字列に関連する関連情報を取得する。尚、ＣＰＵ４５は、位置情報を取得した後に文字列に関連する関連情報を取得しているが、これに限定されず、文字列に関連する関連情報を取得した後に位置情報を取得してもよい。
【０１０８】
ステップＳ１４において、表示制御部４５４は、位置情報と文字列に関連する関連情報とを表示部２１に表示させる。
【０１０９】
ステップＳ１５において、ＣＰＵ４５は、表示部２１に表示された文字列に関連する関連情報に電話番号が含まれている場合に、ユーザにより電話番号が選択されたか否かを判定する。ＣＰＵ４５により、ユーザが電話番号を選択したと判定された場合は、ステップＳ１６に進む。ＣＰＵ４５により、ユーザが電話番号を選択していないと判定された場合は、動作を終了する。
【０１１０】
ステップＳ１６において、ＣＰＵ４５は、ステップＳ１５の処理により選択された電話番号に対しての発信処理、又はその選択された電話番号をアドレス帳に登録する処理を行う。
【０１１１】
本実施形態の携帯電話機１によれば、以下のような効果を奏する。
動作部６０により第１の態様の動作を行わせた後に、ユーザが操作部側筐体２の位置を変動させることで、文字列に関連する関連情報を表示部２１に表示させた。これにより、ユーザは、文字列に関連する関連情報を得ることができる。よって、携帯電話機１の趣向性を向上させつつ、情報を得ることができる。
【０１１２】
尚、本発明は前記実施形態に限定されるものではなく、種々の変形、改良等が可能である。
本実施形態では、文字列が「コーラ」及び「焼肉」の場合について説明したが、これに限定されない。即ち、文字列は、「食べ物」、「飲み物」、「衣服」、「雑貨」等のユーザが入手することができる文字列であればよい。また、文字列は、「桜」等の名勝であってもよい。
【０１１３】
また、本実施形態では、図１３（ｃ）に示すように、店の名称及び電話番号を表示部２１に表示する場合について説明したが、これに限定されない。即ち、店の名称及び電話番号に加えて、クーポン情報（優待情報）等の他の情報を表示部２１に表示してもよい。そして、クーポン情報を表示する場合には、第１態様で動作を行わせた後に表示されるクーポン情報と、第１の実施形態において説明した第２の態様で動作を行わせた後に表示されるクーポン情報との間に、金額等において違いを設けてもよい。
また、店の名称及び電話番号に所定の優先順位を付けて、その優先順位の高いものから順に店の名称及び電話番号を表示してもよい。
【０１１４】
＜第３の実施形態＞
次に、第３の実施形態に係る携帯電話機１について説明する。
本実施形態に係る携帯電話機１の基本構成は、第１の実施形態に係る携帯電話機１と同じであるので、その説明を省略する。
【０１１５】
本実施形態に係る携帯電話機１は、入力部５０から入力された情報から生成された文字情報にキーワード（名詞）が含まれている場合に、携帯電話機１の位置を変動させることにより、キーワードを検索する機能を有している。
【０１１６】
以下に、携帯電話機１に係る当該機能を発揮するための構成と動作について詳述する。
図１５は、携帯電話機１が当該機能を発揮するための構成を示す機能ブロック図である。
携帯電話機１に係る当該機能を発揮するための構成は、図２及び図３を用いて説明した構成に加えて、ＣＰＵ４５内に名詞検索部４５５を備える。名詞検索部４５５は、入力部５０から入力された情報に基づいて生成された文字情報からキーワード（名詞）を検出する。さらに、名詞検索部４５５は、検出されたキーワードについて通信部４１を介して検索するための検索式を生成し、その検索式に基づいて検索を実行する。
【０１１７】
このような構成の携帯電話機１における動作の具体例について説明する。図１６は、受信メールの本文中に含まれる名詞を検索する携帯電話機１の動作を示す図である。
図１６（ａ）に示すように、受信メールの本文中には、文字情報が含まれている。ユーザが、携帯電話機１を所定方向（横方向）に振った場合、名詞検索部４５５は、文字情報中に含まれる名詞を全て検出し（図１６（ｂ）参照）、さらに検出された名詞の全てについて通信部４１を介して検索することができるように検索式を生成する。図１６（ｂ）に示す場合では、名詞検索部４５５は、受信メールの本文中から「ＸＸ」及び「アクション映画」を名詞として検出し、「ＸＸ」を検索する検索式及び「アクション映画」を検索する検索式を生成する。
【０１１８】
次に、ユーザが、携帯電話機１を所定方向（横方向）に更に振った場合、表示制御部４５４は、表示部２１の下部にキーワード候補となるキーワード（名詞）一覧を表示させる（図１６（ｃ）参照）。一覧で示された複数のキーワードは、いずれか１つをユーザにより選択可能になっている。即ち、ユーザが、携帯電話機１を所定方向（横方向）に振ることを繰り返すことにより、キーワード候補として表示されているキーワードのいずれか１つを選択することができる。具体的には、図１６（ｃ）に示すように、キーワード候補として「ＸＸ」が選択（反転表示）されている場合に、携帯電話機１を横方向に振るとキーワード候補として「アクション映画」が選択される。
【０１１９】
さらに、図１６（ｂ）に示す状態から、ユーザが、携帯電話機１を所定方向（縦方向）に更に振った場合、表示制御部４５４は、図１６（ｂ）に示す状態おいて選択されたキーワードを表示部２１の下部に表示させる（図１６（ｄ）参照）。具体的には、図１６（ｂ）に示す状態において「ＸＸ」が選択（反転表示）されており、その状態においてユーザが携帯電話機１を縦方向に振ると、表示制御部４５４は、選択キーワードとして「ＸＸ」を表示部２１の下部に表示させる。
尚、選択キーワードとして「ＸＸ」が表示部２１の下部に表示されている場合に、ユーザが携帯電話機１を所定方向（縦方向）に更に振ると、選択キーワードとして「アクション映画」が選択され、「ＸＸ」に代わって「アクション映画」が表示部２１の下部に表示される。
【０１２０】
次に、ユーザが、表示部２１に表示されている「検索」又は表示部２１に表示されている「選択」を選択した場合には、名詞検索部４５５は、生成されている検索式に基づいて選択されたキーワード（名詞）について検索する。具体的には、図１６（ｂ）に示す状態において「ＸＸ」について検索する場合、ユーザは、「メニュー」中の「選択」を選択する。また、図１６（ｃ）及び図１６（ｄ）に示す状態において「ＸＸ」について検索する場合、ユーザは、「検索」を選択する。これにより、名詞検索部４５５は、「ＸＸ」について生成されている検索式に基づいて、通信部４１を介して検索を行う。
表示制御部４５４は、検索結果を表示部２１に表示する（図１６（ｅ）参照）。
【０１２１】
次に、本実施形態の携帯電話機１の動作について、図１７及び図１８を参照しながら説明する。図１７は、第３の実施形態の携帯電話機１の動作を示す第１のフローチャートである。図１８は、図１７に示す第１のフローチャートに続く第２のフローチャートである。
【０１２２】
図１７に示すように、ステップＳ２１において、ＣＰＵ４５は、加速度センサ４６が操作部側筐体２の位置の変動を検知した場合に、加速度センサ４６から出力された信号が入力されたか否か判定する。ＣＰＵ４５により、加速度センサ４６から信号が入力されたと判定された場合は、ステップＳ２２に進む。ＣＰＵ４５により、加速度センサ４６から信号が入力されなかったと判定された場合は、動作を終了する。
【０１２３】
ステップＳ２２において、ＣＰＵ４５は、加速度センサ４６において検出された操作部側筐体２の位置の変動方向が横方向であるか否かを判定する。ＣＰＵ４５により、操作部側筐体２の変動方向が横方向であると判定された場合は、ステップＳ２３に進む。ＣＰＵ４５により、操作部側筐体２の変動方向が横方向ではない（縦方向）と判定された場合は、動作を終了する。
【０１２４】
ステップＳ２３において、名詞検索部４５５は、文字情報に含まれるキーワード（名詞）を検出する。
【０１２５】
ステップＳ２４において、名詞検索部４５５は、検索されたキーワード（名詞）について検索することができるように検索式を生成し、生成された検索式をキーワード（名詞）にリンク設定する。
【０１２６】
次に、図１８に示すように、ステップＳ３１において、ＣＰＵ４５は、加速度センサ４６が操作部側筐体２の位置の変動を検知した場合に、加速度センサ４６から出力された信号が入力されたか否か判定する。ＣＰＵ４５により、加速度センサ４６から信号が入力されたと判定された場合は、ステップＳ３２に進む。ＣＰＵ４５により、加速度センサ４６から信号が入力されなかったと判定された場合は、ステップＳ３６に進む。
【０１２７】
ステップＳ３２において、ＣＰＵ４５は、加速度センサ４６において検出された操作部側筐体２の位置の変動方向が横方向であるか否かを判定する。ＣＰＵ４５により、操作部側筐体２の変動方向が横方向であると判定された場合は、ステップＳ３３に進む。ＣＰＵ４５により、操作部側筐体２の変動方向が横方向ではない（縦方向）と判定された場合は、ステップＳ３４に進む。
【０１２８】
ステップＳ３３において、表示制御部４５４は、キーワード候補となるキーワード（名詞）を選択画面に一覧表示させる。
【０１２９】
ステップＳ３４において、名詞検索部４５５は、キーワード（名詞）が選択されているか判定する。名詞検索部４５５により、キーワードが選択されていると判定された場合は、ステップＳ３５に進む。名詞検索部４５５により、キーワードが選択されていないと判定された場合は、動作を終了する。
【０１３０】
ステップＳ３５において、表示制御部４５４は、選択されたキーワードを表示部２１に表示させる。
【０１３１】
ステップＳ３６において、ＣＰＵ４５は、図１６（ｂ）に示すような「選択」がユーザにより選択されたか否か（キーワードがユーザにより選択されたか否か）、又は、図１６（ｃ）及び図１６（ｄ）に示すような「検索」がユーザにより選択されたか否かを判定する。「選択」又は「検索」がユーザにより選択されている場合は、ステップＳ３７に進む。「選択」又は「検索」がユーザにより選択されなかった場合は、動作を終了する。
【０１３２】
ステップＳ３７において、名詞検索部４５５は、通信部４１を介して検索サイトに接続し、キーワード（名詞）を検索する。即ち、名詞検索部４５５は、キーワードについて生成された検索式に基づいて、そのキーワードを検索する。
【０１３３】
ステップＳ３８において、表示制御部４５４は、検索結果を表示部２１に表示させる。
【０１３４】
本実施形態の携帯電話機１によれば、以下のような効果を奏する。
入力部５０から入力された情報に基づいて生成された文字情報にキーワード（名詞）が含まれている場合に、携帯電話機１の位置を変動させることにより、キーワードを検索する。これにより、ユーザは、文中に記載されるキーワードを覚えておき、その後、検索サイトに接続してからそのキーワードの検索を行うという２段階の動作をする必要がなく、キーワードについて直接検索することができる。
【０１３５】
尚、本発明は前記実施形態に限定されるものではなく、種々の変形、改良等が可能である。
本実施形態では、携帯電話機１を所定方向に振ることにより文字情報にキーワードが含まれているか検知し、キーワードを選択した後、所定操作を行うことにより選択されたキーワードについて検索を行う場合について説明したが、これに限定されない。即ち、選択されたキーワードと、携帯電話機１を所定時間内に所定回数振る動作と、動作部６０を第１態様で動作させることと、が関連付けられたテーブルがメモリ４４に記憶されている場合に、ユーザが携帯電話機１を所定方向に振ることによりキーワードを選択した後、携帯電話機１を所定時間内に所定回数振ると、動作部６０が第１態様で動作するようにしてもよい。この場合、動作部６０が第１態様で動作した後に、ユーザが所定操作を行うことにより、名詞検索部４５５は、選択されたキーワードについて検索を行えばよい。
【０１３６】
また、文字情報に含まれるキーワードについて、携帯電話機１を所定時間内に所定回数振る動作と、動作部６０による動作と、が関連付けられたテーブルがメモリ４４に記憶されていない場合、図１９に示すような動作によりテーブルを生成してメモリ４４に記憶させてもよい。
【０１３７】
図１９は、テーブルを生成するときの携帯電話機１の動作を示すフローチャートである。
先ず、ステップＳ４１において、ユーザの所定の操作により入力部５０に所定の情報が入力される。尚、所定の情報は、通信部４１を介して入力されてもよく、カメラ４８により入力されてもよい。
【０１３８】
ステップＳ４２において、文字情報生成部４５１は、入力部５０に入力された情報に基づいて文字情報を生成する。尚、情報が、通信部４１を介して入力された画像情報又はカメラ４８により入力された画像情報である場合、文字情報生成部４５１は、ＯＣＲ（Ｏｐｔｉｃａｌ  Ｃｈａｒａｃｔｅｒ  Ｒｅａｄｅｒ）機能を利用して、画像情報の中から文字を判別し、文字情報を取り込むようになっている。
【０１３９】
ステップＳ４３において、判定部４５２は、文字情報生成部４５１で生成された文字情報に、メモリ４４に記憶された文字列が含まれるか否かを判定する。判定部４５２により、文字情報生成部４５１で生成された文字情報に、メモリ４４に記憶された文字列が含まれていないと判定された場合は、ステップＳ４４に進む。文字情報生成部４５１で生成された文字情報に、メモリ４４に記憶された文字列が含まれると判定された場合は、テーブル生成動作を終了する。
【０１４０】
ステップＳ４４において、文字情報生成部４５１で生成された文字情報をメモリ４４に記憶する。
【０１４１】
ステップＳ４５において、ステップＳ４４の処理により記憶された文字情報に関連付けて、携帯電話機１を所定時間内に所定回数振る動作をメモリ４４に記憶する。即ち、所定時間と所定回数とを設定する。
【０１４２】
ステップＳ４６において、ステップＳ４４の処理により記憶された文字情報と、ステップＳ４５の処理により記憶された所定の動作とのそれぞれに関連付けて、動作部６０による動作をメモリ４４に記憶する。尚、動作部６０による動作は、通信部４１を介して取得されてもよい。
【０１４３】
＜変形例＞
尚、本発明は第１から第３の実施形態に限定されるものではなく、本発明の目的を達成できる範囲での変形、改良等は本発明に含まれる。
例えば、第１から第３の実施形態では、携帯電子機器の一例としてヒンジ機構４を介して操作部側筐体２と表示部側筐体３とが相対的に動く、いわゆる折り畳み式の携帯電話機１を挙げているが、これに限らない。即ち、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、更には、操作部側筐体と表示部側筐体とが一つの筐体に配置されたもの（いわゆる、ストレートタイプ）であってもよい。
【０１４４】
また、第１から第３の実施形態では、本発明を携帯電子機器としての携帯電話機１に適用したが、これに限らない。即ち、本発明を、情報携帯端末（ＰＤＡ）、ノートパソコン、デジタルカメラ、小型オーディオプレーヤー等の他の携帯電子機器に適用してもよい。
【符号の説明】
【０１４５】
１  携帯電話機（携帯電子機器）
１１  操作部
２１  表示部
４１  通信部
４４  メモリ（記憶部）
４５  ＣＰＵ
４６  加速度センサ（変動検出部）
４９  位置情報取得部
５０  入力部
６０  動作部
４５１  文字情報生成部
４５２  判定部
４５３  動作制御部
４５４  表示制御部
【図１】
2010136329.tif 000003
【図２】
2010136329.tif 000004
【図３】
2010136329.tif 000005
【図４】
2010136329.tif 000006
【図５】
2010136329.tif 000007
【図６】
2010136329.tif 000008
【図７】
2010136329.tif 000009
【図８】
2010136329.tif 000010
【図９】
2010136329.tif 000011
【図１０】
2010136329.tif 000012
【図１１】
2010136329.tif 000013
【図１２】
2010136329.tif 000014
【図１３】
2010136329.tif 000015
【図１４】
2010136329.tif 000016
【図１５】
2010136329.tif 000017
【図１６】
2010136329.tif 000018
【図１７】
2010136329.tif 000019
【図１８】
2010136329.tif 000020
【図１９】
2010136329.tif 000021